(57)【要約】【課題】  スクリーン本体の天井又は壁への固定が選択できるだけでなく、高所でのビスの締結作業を少なくし、簡単かつ安全にスクリーン本体の取付けが行え、しかも、取付けた後におけるスクリーン本体の長さ方向の位置調整が可能なスクリーンの取付け装置を提供する。【解決手段】  Ｌ型に形成されたベース金具４の先端にフック部７を設け、スクリーン本体１の上面と背面に、それぞれ内部が広幅となる溝部６を長さ方向に沿って形成し、前記ベース金具４の内面に沿わせるスライド金具５の前記各溝部６と対応する位置に、この溝部６に対して長さ方向にスライド可能で開口面側に抜け止め状に嵌合する突部７を設け、前記スライド金具５の先端にベース金具４のフック部７に対する掛吊部１１と、下端部にベース金具４の下端面に対する対向片１２を設け、この対向片１２にベース金具４の下端面に向けて固定ボルト１３をねじ込むようにする。【選択図】      図４
0003108188.tif 000002
【実用新案登録請求の範囲】
【請求項１】
Ｌ型に形成されたベース金具の先端にフック部を設け、内部にスクリーンを引き出し可能に巻取り収納したスクリーン本体の上面と背面に、それぞれ内部が広幅となる溝部を長さ方向に沿って形成し、このスクリーン本体の上面と背面に沿うＬ型に形成され、前記ベース金具の内面に沿わせるスライド金具の前記各溝部と対応する位置に、この溝部に対して長さ方向にスライド可能で開口面側に抜け止め状に嵌合する突部を設け、前記スライド金具の先端にベース金具のフック部に対する掛吊部と、下端部にベース金具の下端面に対する対向片を設け、この対向片にベース金具の下端面に向けて固定ボルトをねじ込むようにしたスクリーンの取付け装置。
【請求項２】
上記ベース金具は、上面が天井への取付け面で背面が壁への取付け面となり、このベース金具とその内面側に位置させるスライド金具が、スクリーン本体の長さ方向に所定間隔の配置となる複数組が用いられ、このベース金具とスライド金具でスクリーン本体の長さ方向の複数箇所を天井又は壁に固定するようになっている請求項１に記載のスクリーンの取付け装置。
【考案の詳細な説明】
【技術分野】
【０００１】
この考案は、映像を映し出すスクリーンを天井又は壁に対して固定するためのスクリーンの取付け装置に関する。
【背景技術】
【０００２】
一般に、会議やミーティング，家庭等において、スライド、ビデオ、液晶プロジェクタ、ＯＨＰ等の各種映像機器の映像を投影するために用いるスクリーンは、ケーシング内にスプリングロールを回転可能に取付け、このスプリングロールの外周に巻き取りとケーシングの下部開口からの引き出しが可能となるようスクリーンを巻回して形成され、従来、このようなスクリーンの配置方式には、用途に応じて幾つかのタイプが提案されているが、天井又は壁に固定して使用するタイプもその一つである。
【０００３】
上記スクリーンを天井又は壁に固定して使用する場合、固定金具が天井専用もしくは壁専用であると、兼用できないので二種類の固定金具を用意しなければならないという不便があり、このため、単一の構造で天井への固定と壁への固定が現場で選択できる取付け装置が提案されている。
【０００４】
上記した従来の取付け装置は、スクリーン本体の上面と背面に、それぞれ内部が広幅となる溝部を長さ方向に沿って形成し、この溝部内に取付けナットを挿入し、このナットに取付けプレートを緩衝材を介してビスで固定し、天井又は壁にビスで固定する取付けブラケットと前記取付けプレートの複数箇所をビスで締結する構造になっている（例えば、特許文献１参照）。
【特許文献１】実開平５−９６８４６号公報
【考案の開示】
【考案が解決しようとする課題】
【０００５】
ところで、上記のような従来の取付け装置は、構成部材である取付けナットと取付けプレート及び取付けブラケットのそれぞれを順次ビスで締結する必要があり、具体的には、スクリーン本体に取付けたナットに取付けプレートをビスで先付けし、この後、取付けプレートを天助又は壁に固定した取付けブラケットにビスで締結しなければならず、このため、天井や壁の高所でこのようなビスの締結作業を行うのは、スクリーン本体が邪魔になって作業が非常にやりにくく、手間と時間がかかるだけでなく、高所作業により危険を伴うという問題がある。
【０００６】
また、ナットに取付けプレートをビスで固定すると、天井又は壁に取付けた後のスクリーン本体は、その長さ方向の位置調整が全く行えないという問題もある。
【０００７】
そこで、この考案の課題は、スクリーン本体の天井又は壁への固定が選択できるだけでなく、高所でのビスの締結作業を少なくし、簡単かつ安全にスクリーン本体の取付けが行え、しかも、取付けた後におけるスクリーン本体の長さ方向の位置調整が可能なスクリーンの取付け装置を提供することにある。
【課題を解決するための手段】
【０００８】
上記のような課題を解決するため、この考案は、Ｌ型に形成されたベース金具の先端にフック部を設け、内部にスクリーンを引き出し可能に巻取り収納したスクリーン本体の上面と背面に、それぞれ内部が広幅となる溝部を長さ方向に沿って形成し、このスクリーン本体の上面と背面に沿うＬ型に形成され、前記ベース金具の内面に沿わせるスライド金具の前記各溝部と対応する位置に、この溝部に対して長さ方向にスライド可能で開口面側に抜け止め状に嵌合する突部を設け、前記スライド金具の先端にベース金具のフック部に対する掛吊部と、下端部にベース金具の下端面に対する対向片を設け、この対向片にベース金具の下端面に向けて固定ボルトをねじ込むようにした構成を採用したものである。
【０００９】
上記ベース金具は、上面が天井への取付け面で背面が壁への取付け面となり、このベース金具とその内面側に位置させるスライド金具が、スクリーン本体の長さ方向に所定間隔の配置となる複数組が用いられ、このベース金具とスライド金具でスクリーン本体の長さ方向の複数箇所を天井又は壁に固定するようになっている構造とすることができる。  
【００１０】
ここで、上記ベース金具とスライド金具は、スクリーン本体の長さ方向の幅が狭く形成され、スクリーン本体の長さ方向に対して三組程度を配置するのが好ましく、ベース金具は天井又は壁の何れに対しても選択的に固定することができる。
【考案の効果】
【００１１】
この考案によると、ベース金具をＬ型に形成することにより天井と壁への取付けが可能になり、このベース金具とスライド金具の組み合わせによって、スクリーン本体の天井又は壁への固定が現場において自由に選択できる。
【００１２】
また、スクリーン本体の取付けが、ベース金具を天井又は壁に固定し、このベース金具のフック部にスライド金具の掛吊部を引っ掛け、対向片の固定ボルトをねじ込むだけでよいので、高所でのビスの締結作業が少なくなり、スクリーン本体が邪魔になるようなビスの締結作業部分が全くなくなり、天井又は壁に対して簡単かつ安全にスクリーン本体の取付けが行える。
【００１３】
更に、スライド金具に対してスクリーン本体は長さ方向への移動が可能に吊り下げ保持されるので、取付け後においても投影条件に合わせてスクリーン本体は長さ方向の位置調整が可能になる。
【考案を実施するための最良の形態】
【００１４】
以下この考案の最良の実施の形態を図面に基づいて説明する。
【００１５】
図２乃至図５のように、スクリーン本体１は、両端を端板２で閉鎖されたケーシング３内にスプリングロールを回転可能に取付け、このスプリングロールの外周に巻き取りとケーシングの下部開口からの引き出しが可能となるようスクリーンを巻回した構造になっており、前記ケーシング３は上面と背面が直角になるよう形成されている。
【００１６】
上記スクリーン本体１を天井Ａ又は壁面Ｂに固定するための取付け装置は、伏倒Ｌ型に形成されたベース金具４と、スクリーン本体１の上面と背面に沿う伏倒Ｌ型に形成され、前記ベース金具４の内面に沿わせる金属板製のスライド金具５からなり、スクリーン本体１の上面と背面に、それぞれ内部が広幅となる溝部6が長さ方向の全長にわたって形成されている。
【００１７】
上記ベース金具４は、スクリーン本体１の長さ方向に対して幅が狭く、水平部分４ａの先端に上向きに屈曲するフック部７が設けられ、水平部分４ａを天井Ａに対してビス８で固定するか、垂直部分４ｂをビス９で壁面Ｂに固定することにより、天井Ａと壁Ｂへの固定が選択できるようになっている。
【００１８】
上記スライド金具５は、ベース金具４と同程度の幅を有し、スクリーン本体１の上面と背面に沿わせた状態で、スクリーン本体１の各溝部６と対応する位置に、この溝部６に対して長さ方向にスライド可能で開口面側に抜け止め状に嵌合する突部１０が設けられ、更に、水平分部５ａの先端にベース金具４のフック部７に対する環状の掛吊部１１が設けられている。
【００１９】
また、スライド金具５の垂直部分５ｂ下端部には、ベース金具４の下端面に対する対向片１２が折り曲げ形成され、この対向片１２にベース金具４の下端面に向けてねじ込む固定ボルト１３のねじ孔が設けられている。
【００２０】
この考案の取付け装置は、上記のような構成であり、スクリーン本体１を天井Ａ又は壁面Ｂに固定するには、スクリーン本体１の一方端部に臨ませたスライド金具５の突部１０を、スクリーン本体１の上面と背面の溝部６に端部から嵌合し、スライド金具５をこの溝部６に対して長さ方向にスライドさせることで、複数（図５の場合三個）のスライド金具５をスクリーン本体１の上面と背面に沿った状態に取付けておく。
【００２１】
スクリーン本体１を天井Ａに固定する場合は、図１（ａ）のように、ベース金具４の水平部分４ａを天井Ａに重ね、この水平部分４ａをビス８で天井Ａに固定することにより、複数（図５の場合三個）のベース金具４をスクリーン本体１の長さに対応する配置と間隔で天井Ａに取付ける。
【００２２】
また、スクリーン本体１を壁面Ｂに固定する場合は、図１（ｂ）のように、ベース金具４の垂直部分４ｂを壁面Ｂに重ね、この垂直部分４ｂをビス９で壁面Ｂに固定することにより、複数のベース金具４をスクリーン本体１の長さに対応する配置と間隔で壁面Ｂに取付ける。
【００２３】
上記の状態でスクリーン本体１を持ち上げ、図３のように、予め取付けておいた各スライド金具５の掛吊部１１を対応する位置のベース金具４に設けたフック部７に引っかけ、ベース金具４にスクリーン本体１を吊り下げ状とする。
【００２４】
次に、この引っかけ部分を支点にしてスクリーン本体１をベース金具４の内面側に回動させ、図４のように、スライド金具５をベース金具４の内面に沿わせると、このスライド金具５の下端に設けた対向片１２がベース金具４の下端面に対向し、対向片１２のねじ孔から固定ボルト１３をベース金具４の下端面に向けてねじ込むことにより、ベース金具４にスライド金具５が固定され、ベース金具４にスライド金具５を介してスクリーン本体１が固定される。
【００２５】
このように、ベース金具４は単一の構造で天井Ａと壁面Ｂの何れにも固定することができるので、ベース金具４とスライド金具５を用いてスクリーン本体１を天井Ａと壁面Ｂの何れにも取付けることができると共に、ベース金具４へのスクリーン本体１の取付けは、スライド金具５の掛吊部１１をベース金具４のフック部７に引っかけた後、対向片１２のねじ孔からベース金具４の下端面に固定ボルト１３をねじ込むだけでよいので、高所でのビスの締結作業が少なくなり、簡単かつ安全にスクリーン本体１の取付けが行えることになる。
【００２６】
また、スクリーン本体１を天井Ａ又は壁面Ｂに取付けた状態において、突部１０と溝部６の嵌合によるスライド構造により、スライド金具５に対してスクリーン本体１は、投影条件等に合わせて長さ方向に位置調整が可能となる。
【図面の簡単な説明】
【００２７】
【図１】（ａ）はベース金具の天井への固定状態を示す縦断側面図、（ｂ）はベース金具の壁面への固定状態を示す縦断側面図
【図２】スクリーン本体にスライド金具を取付けた状態を示す側面図
【図３】ベース金具のフック部に引っかけてスクリーン本体を吊り下げた状態を示す側面図
【図４】ベース金具にスクリーン本体を固定した状態を示す側面図
【図５】ベース金具にスクリーン本体を固定した状態を示す正面図
【符号の説明】
【００２８】
１      スクリーン本体
２      端板
３      ケーシング
４      ベース金具
５      スライド金具
６      溝部
７      フック部
８      ビス
９      ビス
１０    突部
１１    掛吊部
１２    対向片
１３    固定ボルト
【図１】
0003108188.tif 000003
【図２】
0003108188.tif 000004
【図３】
0003108188.tif 000005
【図４】
0003108188.tif 000006
【図５】
0003108188.tif 000007